(57)【要約】【課題】庇板に穿孔などの特別な加工を必要とせず、また、建物の外壁の状態に応じて庇板におけるアームの下端部の取付位置を変更できる庇を提供する。【解決手段】庇板としての板ガラス２の先端縁が建物の外壁面に取り付けられた支持具３により支持される。板ガラス２の少なくとも２箇所がアーム４，４により水平ないしは水平に近い角度で吊持される。板ガラス２の先端縁には縁枠５が装着される。縁枠５は長さ方向の摺動溝５１を有し、その摺動溝５１に２個の位置決め部材９が摺動自由に保持されている。各位置決め部材９には各アーム４の下端部を連結するねじ軸９０が設けられ、そのねじ軸９０を前記摺動溝５１に全長にわたり形成された溝開口５８に臨ませている。【選択図】図１
2006207231.tif 000002
【特許請求の範囲】
【請求項１】
建物の外壁面に取り付けられた支持具により庇板の基端縁が支持されるとともに、前記庇板の少なくとも２箇所がそれぞれアームにより水平ないしは水平に近い角度で吊持される庇において、前記庇板の先端縁に少なくとも１個の縁枠が装着され、前記縁枠は長さ方向に沿う摺動溝を有し、その摺動溝内に位置決め部材が摺動自由に保持されており、前記位置決め部材には前記摺動溝の溝開口に臨ませるように連結部材が設けられ、前記連結部材に各アームの下端部が連結されて成る庇。
【請求項２】
前記庇板は、板ガラスにより形成されている請求項１に記載された庇。
【請求項３】
前記庇板の先端縁には１個の縁枠が装着されており、前記縁枠の摺動溝に２個の位置決め部材が摺動自由に保持されている請求項１に記載された庇。
【請求項４】
前記庇板の先端縁には２個の縁枠が左右対称位置に装着されており、各縁枠の摺動溝にそれぞれ１個の位置決め部材が摺動自由に保持されている請求項１に記載された庇。
【請求項５】
前記位置決め部材は、前記連結部材としてねじ軸が突設された板状体である請求項１〜４のいずれかに記載された庇。
【発明の詳細な説明】
【技術分野】
【０００１】
この発明は、建物の外壁面より張り出すように設けられる庇に関する。
【背景技術】
【０００２】
従来、この種の庇は、庇板の基端部が建物の外壁面に取り付けられた支持具により支持されるとともに、庇板の少なくとも２箇所がアームにより水平ないしは水平に近い角度で吊持されている（例えば、特許文献１参照）。各アームは、上端部が建物の外壁面に、下端部が庇板の板面に、それぞれ自在継ぎ手を介して接続されている。庇板の板面には、自在継ぎ手を取り付けるために取付孔が貫通して設けられている。
【０００３】
【特許文献１】特開２００３−１６０９９３号公報
【発明の開示】
【発明が解決しようとする課題】
【０００４】
しかしながら、上記した構成の庇では、庇板に取付孔を形成する必要があるため、庇板の加工に手数がかかるだけでなく、庇板が板ガラスであれば、その取付孔によって板ガラスの強度が低下し、板ガラスの破損による落下を招く要因となる。また、建物の外壁面に各アームの上端部を固定するうえで配線や構造上の障害があるとき、各アームの上端部の固定位置をずらせる必要が生じるが、庇板には自在継ぎ手の取付孔が固定的に設けられているため、各アームの下端部の接続位置を変更することができず、建物の外壁の状態に対応できないという問題もある。
【０００５】
この発明は、上記した問題に着目してなされたもので、庇板に穿孔などの特別な加工を必要とせず、また、建物の外壁の状態に応じて庇板におけるアームの下端部の接続位置を変更できる庇を提供することを目的とする。
【課題を解決するための手段】
【０００６】
この発明による庇は、建物の外壁面に取り付けられた支持具により庇板の基端縁が支持されるとともに、前記庇板の少なくとも２箇所がそれぞれアームにより水平ないしは水平に近い角度で吊持されるものであり、前記庇板の先端縁には少なくとも１個の縁枠が装着されている。前記縁枠は長さ方向に沿う摺動溝を有しており、その摺動溝内に位置決め部材が摺動自由に保持されている。前記位置決め部材には前記摺動溝の溝開口に臨ませるように連結部材が設けられ、前記連結部材に各アームの下端部が連結されている。
【０００７】
上記した構成の庇を建物の外壁面に取り付けるには、庇板の基端部を建物の外壁面に取り付けられた支持具により支持させる。庇板の少なくとも２箇所をアームにより支持するために、各アームの上端部は建物の外壁面に固定し、その固定位置に応じて位置決め部材を縁枠の摺動溝に沿って移動させて適所に位置決めする。各位置決め部材の連結部材を溝開口に臨ませているので、その連結部材にアームの下端部を連結して庇板を支持する。
【０００８】
この発明の上記した構成において、庇板は板ガラスの他、アルミ板のような金属板、さらには合成樹脂板を用いて構成することができる。
【０００９】
この発明の一実施態様においては、前記庇板の先端縁には１個の縁枠が装着されており、前記縁枠の摺動溝内に２個の位置決め部材が摺動自由に保持されている。
この発明の他の実施態様においては、前記庇板の先端縁には２個の縁枠が左右対称位置に装着されており、各縁枠の摺動溝内にそれぞれ１個の位置決め部材が摺動自由に保持されている。
【００１０】
この発明の好ましい実施態様においては、前記位置決め部材は前記連結部材としてねじ軸が突設された板状体が用いられるが、連結部材はアームの下端部を連結することが可能であれば、必ずしもねじ軸である必要はなく、例えば、アームの下端部を引っ掛けるような構成のものであってもよい。
【発明の効果】
【００１１】
この発明によると、庇板の板面に取付孔を形成する必要がないので、庇板の加工に手数を要さない。また、庇板を板ガラスにより形成する場合、板ガラスの強度を低下させるおそれがなく、板ガラスの破損による落下を招くこともない。さらに、位置決め部材を移動させてアームの下端部の接続位置が変更できるので、建物の外壁の状態に対応させることができる。
【発明を実施するための最良の形態】
【００１２】
図１〜図３は、この発明の一実施例である庇１の外観とその設置状態を示している。
図示例の庇１は、建物の外壁面ａから張り出すように取り付けられる庇板としての板ガラス２と、建物の外壁面ａに取り付けられ前記板ガラス２の基端縁を支持する支持具３と、前記板ガラス２を２箇所で支持して水平ないしは水平に近い角度で吊持する２本のアーム４，４と、前記板ガラス２の先端縁に装着される縁枠５とで構成されている。前記支持具３、アーム４、および縁枠５は金属製であるが、必要な強度が確保できるのであれば、必ずしも金属製である必要はなく、合成樹脂製であってもよい。
【００１３】
前記板ガラス２は、平面形状が横に長い矩形状であり、図４に示すように、２枚の透明な強化ガラス板２０，２１を強靱かつ無色透明なシート材２２を中間に挟んで一体接合して成るものである。前記シート材２２の表裏面には粘着層が設けられ、この粘着層によって各強化ガラス板２０，２１とシート材２２とが接合されるので、たとえ強化ガラス板２０，２１が強い衝撃を受けて破損しても、その破片が散乱することがない。なお、強化ガラス板２０，２１やシート材２２は透光性を有していれば、必ずしも無色透明である必要はない。
【００１４】
前記支持具３は、板ガラス２の横幅と一致する長さを有する枠状体であり、板ガラス２の基端縁を支持する本体フレーム３０と、本体フレーム３０の前面の上半分を覆う蓋板６とを含んでいる。支持具３の両端面は開放されており、各開放部をキャップ７，７で塞いでいる。
【００１５】
前記本体フレーム３０は、背板部３２の上端縁にやや下向きの上壁部３３が、高さ中央部および下端縁に水平な中間壁部３４および下壁部３５が、それぞれ突設されたものである。前記背板部３２には、上壁部３３と中間壁部３４との間に、アンカーボルト７１が挿入されるボルト挿通孔３６が一定間隔毎に設けられている。前記中間壁部３４と下壁部３５との間には、板ガラス２の後端縁が差し込まれる支持溝３１が形成されている。この支持溝３１内にはゴムなどのクッション材３７が装填されるとともに、支持溝３１の開口部はシリコンなどのコーキング材３８により密封されている。前記クッション材３７は板ガラス２に作用する衝撃や振動を吸収するためのものであり、コーキング材３８は支持溝３１内への雨水の浸入を防止するためのものである。
【００１６】
前記蓋板６は、下端部が本体フレーム３０の中間壁部３４の先端縁に支持され、上端部が上壁部３３の上面に支持されて複数箇所がねじ７０により止め固定されている。蓋板６の下端部の内面には中間壁部３４に係合する突状部６１が形成され、上端部には前記ねじ７０の頭部を支持する孔６２が形成されている。前記本体フレーム３０の上壁部３３にはねじ孔３９が形成され、このねじ孔３９にねじ７０がねじ込まれて蓋板６が固定される。なお、図４において、７３は外壁部ａと支持具３との隙間や本体フレーム３０と蓋板６との隙間に雨水が浸入するのを防止するコーキング材である。
【００１７】
各アーム４は、長さ調節が可能な構成のものであり、図３および図５に示すように、金属製パイプより成るアーム本体４０の両端にねじ軸４１，４２を介して取付金具８，８０がそれぞれ取り付けられている。各ねじ軸４１，４２は一端部に前記取付金具８，８０の連結板８１が取り付けられ、他端部はアーム本体４０の両端に装着されたナット部材４３，４４にねじ込まれている。各ねじ軸４１，４２はねじの方向が逆方向であり、アーム本体４０を一方向へ回転させたとき、各ねじ軸４１，４２がアーム本体４０の両端より突き出てアーム４の長さが長くなる。また、アーム本体４０を反対方向へ回転させたとき、ねじ軸４１，４２がアーム本体４０の内部へ入り込んでアーム４の長さが短くなる。
【００１８】
アーム４の下端部側の取付金具８は、図５および図６に示すように、枢軸８２上に連結板８１と取付板８３とを回動自由に取り付けることにより連結板８１に対して取付板８３を屈曲可能としたものである。取付板８３は、基板部８３ｂ上に前記連結板８１を両側から挟む一対の支持板部８３ａ，８３ａが一体形成されたものである。前記基板部８３ｂには２個の貫通孔８５，８５が形成され、各貫通孔８５に後述する位置決め部材９のねじ軸９０，９０を挿通させてナット８６を装着する。
【００１９】
アームの上端部側の取付金具８０は、図１および図３に示すように、枢軸８２上に前記連結板８１と取付板８４とを回動自由に取り付けることにより連結板８１に対して取付板８４を屈曲可能としたものである。前記取付板８４は、基板部８４ｂ上に前記連結板８１を両側から挟む一対の支持板部８４ａ，８４ａが一体形成されたものである。前記基板部８４ｂには２個の貫通孔８９，８９が形成され、各貫通孔８９にアンカーボルト７４をそれぞれ挿通して基板部８７を建物の外壁面ａに固定する。
【００２０】
前記板ガラス２の先端縁には、板ガラス２の横幅よりやや短い長さの縁枠５が、板ガラス２と中心線を揃えて装着されている。図示例の縁枠５は、図５に示すように、板ガラス２の先端縁が挿入される取付溝５０と、２個の位置決め部材９，９を長さ方向へ摺動自由に保持する摺動溝５１とが全長にわたって形成されたものである。前記取付溝５０は、前面部５２と下壁部５３と上壁部５４との間に形成されており、この取付溝５０内には板ガラス２に作用する衝撃や振動を吸収するためのゴムなどのクッション材５５が装填されるとともに、取付溝５０の開口部は取付溝５０内への雨水の浸入を防止するシリコンなどのコーキング材５６により密封されている。なお、図中、５９は、前面部５２の外面に対向して突設された突壁であり、この突壁５９，５９間に化粧板などを取り付けることが可能である。
【００２１】
前記摺動溝５１は、上壁部５４の外面に全長にわたって突設された囲い壁５７内に形成されている。前記囲い壁５７は全長にわたる溝開口５８を備えており、この溝開口５８は、位置決め部材９が脱出しないように、前記位置決め部材９の幅より小さな溝幅に設定されている。
前記の各位置決め部材９は、前記摺動溝５１の溝幅とほぼ同一幅を有する金属製の板状体であり、アーム４の下端部との連結位置に位置決めされる。各位置決め部材９の板面上には左右対称位置にねじ軸９０，９０が上向きに突設されている。各ねじ軸９０は前記摺動溝５１の溝開口５８より囲い壁５７の上方へ突出している。各ねじ軸９０はアーム４の下端に取り付けられた取付金具８に接続されるもので、取付金具８の取付板８３に形成された貫通孔８５にねじ軸９０を通し、その先端にナット８６を装着して締め付ける。
【００２２】
なお、上記縁枠５の摺動溝５１には、位置決め部材９の他に、図７に示すように、ネームプレートのような表示板１０１を支持するための一対の支持部材１００，１００を摺動自由に設けてもよい。各支持部材１００は摺動溝５１の溝開口５８より上方へ突出する支持軸１０２を備えており、各支持部材１００，１００の支持軸１０２，１０２間に表示板１０１が取り付けられる。
【００２３】
また、上記した実施例は、板ガラス２の先端縁には１個の縁枠５を装着して、その縁枠５の摺動溝５１に２個の位置決め部材９を摺動自由に設けたものであるが、図８に示すように、板ガラス２の先端縁に２個の縁枠５Ａ，５Ｂを左右対称位置に装着し、各縁枠５Ａ，５Ｂの摺動溝５１にそれぞれ１個の位置決め部材９を摺動自由に設けるようにしてもよい。なお、図８の実施例における縁枠５Ａ，５Ｂは上記した実施例の縁枠５と同様の構成であり、ここでは説明を省略する。
さらに、図示していないが、幅の大きな庇については、３本以上のアーム４を用いて板ガラス２を吊持してもよく、その場合に、板ガラス２の先端縁にアーム４の本数に応じた個数の縁枠を装着する。
【００２４】
上記した構成の庇１を建物の外壁面ａに設けるには、板ガラス２の設置位置に合わせて支持具３を、アーム４の上端の固定位置に合わせて取付金具８０を、それぞれ外壁面ａに取り付ける。一方、板ガラス２はその先端縁を縁枠５の取付溝５０に挿入することにより縁枠５が装着される。次に、板ガラス２の基端縁を前記支持具３の支持溝３１に挿入して支持させるとともに、２本のアーム４により板ガラス２を吊持する。
【００２５】
まず、各アーム４の位置に応じて２個の位置決め部材９，９を縁枠５の摺動溝５１に沿って移動させて位置決めする。次に、各位置決め部材９のねじ軸９０，９０が摺動溝５１の溝開口５８より突出しているので、各ねじ軸９０にアーム４の下端部に取り付けた取付金具８を接続する。
庇の取付に際して、建物の外壁面ａにアーム４の上端部を固定する上で配線や構造上の支障があるときは、各アーム４の上端部の固定位置をずらせ、それに合わせて各位置決め部材９を適所に移動させれば、板ガラス２に対する各アーム４の下端部の接続位置も自由に変更できる。
【図面の簡単な説明】
【００２６】
【図１】この発明の一実施例である庇の外観を示す斜視図である。
【図２】図１の庇を建物の外壁面に設置した状態を示す平面図である。
【図３】図１の庇を建物の外壁面に設置した状態を示す側面図である。
【図４】板ガラスと支持具の構成を示す断面図である。
【図５】縁枠の構成とアームの取付状態とを示す断面図である。
【図６】アームの下端部の取付金具の構成を示す分解斜視図である。
【図７】縁枠に表示板を取り付けた状態を示す斜視図である。
【図８】この発明の他の実施例を示す斜視図である。
【符号の説明】
【００２７】
１    庇
２    板ガラス（庇板）
３    支持具
４    アーム
５，５Ａ，５Ｂ  縁枠
９    位置決め部材
５１  摺動溝
５８  溝開口
９０  ねじ軸
【図１】
2006207231.tif 000003
【図２】
2006207231.tif 000004
【図３】
2006207231.tif 000005
【図４】
2006207231.tif 000006
【図５】
2006207231.tif 000007
【図６】
2006207231.tif 000008
【図７】
2006207231.tif 000009
【図８】
2006207231.tif 000010